(57)【要約】【課題】結婚式の大切な思い出を永く身近に残す。【解決手段】枕１を、枕芯材２と、枕芯材２を封入する枕袋体３とから構成する。枕芯材２を、乾燥させた花卉２ａと中わた２ｂとで構成する。乾燥対象となる花卉２ａとして、結婚式で用いられたブーケを用いる。さらに、枕袋体３には、枕芯材２と共に、結婚式の日付や、式当日の心境等を内容とする新郎新婦のコメントを記載したメッセージカードを封入する。【選択図】図１
2005204942.tif 000002
【特許請求の範囲】
【請求項１】
結婚式で用いられたブーケを乾燥処理してなる枕芯材と、
前記枕芯材を封入する枕袋体と、
を備えることを特徴とする枕。
【請求項２】
枕袋体に、メッセージカードを封入してなる
ことを特徴とする請求項１に記載の枕。
【請求項３】
請求項１または請求項２に記載の枕に関する情報を含む注文コードに基づき、コンピュータ端末を用いて枕の製造を発注する枕の発注システムであって、
注文コードは枕芯材情報及び枕袋体情報を含むものであると共に、前記枕芯材情報はブーケ情報を含むものであり、
予めこれらの枕芯材情報及び枕袋体情報を記憶する記憶手段と、
端末の入力画面で入力されたブーケ情報に基づき、記憶手段に記憶されたブーケ情報に含まれる複数の選択肢の内から一の選択肢を選択するブーケ情報選択手段と、
端末の入力画面で入力された枕袋体情報に基づき、記憶手段に記憶された枕袋体情報に含まれる複数の選択肢の内から一の選択肢を選択する枕袋体情報選択手段と、
ブーケ情報選択手段で選択した選択肢に対応する枕芯材の画像情報と枕袋体情報選択手段で選択した選択肢に対応する枕袋体の画像情報とからなる枕の画像情報を、枕の完成状態の予想画像として作成し端末に表示させる予想画像作成手段と、
を備えることを特徴とする枕の発注システム。
【請求項４】
請求項１または請求項２に記載の枕に関する情報を含む注文コードをインターネットを介して発注者側端末から受注者側端末に送信し、枕の製造を発注する枕の発注システムであって、
注文コードは枕芯材情報及び枕袋体情報を含むものであると共に、前記枕芯材情報はブーケ情報を含むものであり、
受注者側端末は、
予めこれらの枕芯材情報及び枕袋体情報を記憶する記憶手段と、
発注者側端末の入力画面で入力されたブーケ情報に基づき、記憶手段に記憶されたブーケ情報に含まれる複数の選択肢の内から一の選択肢を選択するブーケ情報選択手段と、
発注者側端末の入力画面で入力された枕袋体情報に基づき、記憶手段に記憶された枕袋体情報に含まれる複数の選択肢の内から一の選択肢を選択する枕袋体情報選択手段と、
ブーケ情報選択手段で選択した選択肢に対応する枕芯材の画像情報と枕袋体情報選択手段で選択した選択肢に対応する枕袋体の画像情報とからなる枕の画像情報を、枕の完成状態の予想画像として作成し発注者側端末に表示させる予想画像作成手段と、
を備えることを特徴とする枕の発注システム。
【発明の詳細な説明】
【技術分野】
【０００１】
本発明は、枕、およびその発注システムに関する。
【背景技術】
【０００２】
近年、結婚式で花嫁が手にするブーケは、ブーケトスと称して、挙式の終わった花嫁から親しい女性たちめがけて投げる演出に使用されることが多くなっいる。しかし、ブーケトスは行いたいけれども、挙式で使用した思い出の大切なブーケは手元に残しておきたいとの要望も多くあった。
このような要望に応えるため、トス用ブーケで代用したり、ブーケトスに代わるものとしてトス用ぬいぐるみを使用する演出等が案出され、大切なブーケを手元に残しておくこともできるようになってきている。
【発明の開示】
【発明が解決しようとする課題】
【０００３】
しかし、ブーケトスの際に、トス用ブーケやぬいぐるみで代用することによって、結婚式後も大切なブーケを手元に残せたとしても、そのままではやがて枯れてしまい、結局身近に永く置くことは困難だった。また、ドライフラワーに加工する方法もあるが、挙式の華やかな印象とは対照的な色合いになってしまうため、大切な思い出を華やかなままで永く維持したいとの理由から、敬遠する場合が多い。
【０００４】
そこで、本発明は上記課題に鑑み、手元に残したブーケと共に、結婚式の大切な思い出を華やかなまま長期間身近に残すことができる枕、及びその発注システムの提供を課題とする。
【課題を解決するための手段】
【０００５】
上記課題を解決するため、請求項１の発明に係る枕は、結婚式で用いられたブーケを乾燥処理してなる枕芯材と、前記枕芯材を封入する枕袋体と、を備えることを特徴とする。
【０００６】
請求項２の発明に係る枕は、枕袋体に、メッセージカードを封入してなることを特徴とする。
【０００７】
請求項３の発明は、請求項１または請求項２に記載の枕に関する情報を含む注文コードに基づき、コンピュータ端末を用いて枕の製造を発注する枕の発注システムであって、注文コードは枕芯材情報及び枕袋体情報を含むものであると共に、前記枕芯材情報はブーケ情報を含むものであり、予めこれらの枕芯材情報及び枕袋体情報を記憶する記憶手段と、端末の入力画面で入力されたブーケ情報に基づき、記憶手段に記憶されたブーケ情報に含まれる複数の選択肢の内から一の選択肢を選択するブーケ情報選択手段と、端末の入力画面で入力された枕袋体情報に基づき、記憶手段に記憶された枕袋体情報に含まれる複数の選択肢の内から一の選択肢を選択する枕袋体情報選択手段と、ブーケ情報選択手段で選択した選択肢に対応する枕芯材の画像情報と枕袋体情報選択手段で選択した選択肢に対応する枕袋体の画像情報とからなる枕の画像情報を、枕の完成状態の予想画像として作成し端末に表示させる予想画像作成手段と、を備えることを特徴とする。
【０００８】
ここで、枕芯材情報とは、ブーケ情報として枕の芯材に使用されるブーケの種類及びアレンジを示す情報を含むものであり、また枕袋体情報とは、枕袋体の生地、サイズ、形状、模様及び色を示す情報を含むものである。
【０００９】
請求項４の発明は、請求項１または請求項２に記載の枕に関する情報を含む注文コードをインターネットを介して発注者側端末から受注者側端末に送信し、枕の製造を発注する枕の発注システムであって、注文コードは枕芯材情報及び枕袋体情報を含むものであると共に、前記枕芯材情報はブーケ情報を含むものであり、受注者側端末は、予めこれらの枕芯材情報及び枕袋体情報を記憶する記憶手段と、発注者側端末の入力画面で入力されたブーケ情報に基づき、記憶手段に記憶されたブーケ情報に含まれる複数の選択肢の内から一の選択肢を選択するブーケ情報選択手段と、発注者側端末の入力画面で入力された枕袋体情報に基づき、記憶手段に記憶された枕袋体情報に含まれる複数の選択肢の内から一の選択肢を選択する枕袋体情報選択手段と、ブーケ情報選択手段で選択した選択肢に対応する枕芯材の画像情報と枕袋体情報選択手段で選択した選択肢に対応する枕袋体の画像情報とからなる枕の画像情報を、枕の完成状態の予想画像として作成し発注者側端末に表示させる予想画像作成手段と、を備えることを特徴とする。
【発明の効果】
【００１０】
請求項１の発明によれば、手元に残したブーケの大切な思い出を、華やかなまま長期間身近に残すことができる。また、請求項１または請求項２によれば、人生において最も重要な儀式の一つである結婚式の象徴ともいうべきブーケを枕芯材に用い、または加えてメッセージカードを収納したので、結婚式当日はもちろん、披露宴等の関連催事を行った日々の安らかな思い出に、枕を使用する毎に長期間に亘って浸ることができる。
【００１１】
請求項３及び請求項４の発明によれば、ブーケ情報選択手段及び枕袋体情報選択手段を設けたので、発注者に対して、選択の機会を与えると共にその選択の自由度を十分に拡大して、購買意欲及び顧客満足度を向上できる。また、予め設定した枕袋体に対応した在庫だけを確保すれば良いので、余剰在庫を減らすことが可能となる。さらに予想画像作成手段を設けたので、発注者が希望する枕の完成予想状態を、予想画像によって事前に確認できる。従って、注文コードの入力ミス等による発注ミスを低減できる。
【発明を実施するための最良の形態】
【００１２】
以下、本発明を具体化した実施の形態を、図面に基づいて詳細に説明する。
図１は、本発明に係る枕の一実施形態を示し、（ａ）は説明図、（ｂ）は（ａ）のＡ−Ａ線断面図である。本発明に係る枕１は、枕芯材２と、枕芯材２を封入する枕袋体３とから構成されている。
【００１３】
枕芯材２は、乾燥させた花卉２ａと中わた２ｂとで構成されている。花卉２ａとしては、例えば結婚式で用いられたブーケを構成する花材が最適に使用される。ブーケの花材は、自然乾燥の後、防虫剤及び防腐剤が添加処理されて乾燥させた花卉２ａとして用いられる。また中わた２ｂには、ポリエステル等の化学合成材料からなるわた材が使用される。このわた材は、抗菌、防ダニ、防臭加工が施されている。枕袋体３は、例えば木綿からなる２枚の側生地を重ね合わせて袋状に縫製し、枕芯材２を出し入れするため一辺に設けた開口部に開閉用のファスナー（図示略）を設けて構成されている。
【００１４】
本枕１は、枕袋体３内に開口部から入れ込んだ所定量の枕芯材２をファスナーによって封入することによって所望の枕高さを確保するように構成されている。また、封入状態において、枕芯材２は、離散防止用のネット等に包んだ花卉２ａを中心にして全周に亘って中わた２ｂで覆うように封入されている。
【００１５】
さらに、枕袋体３には、枕芯材２と共に、メッセージカードが封入されている。メッセージカードには、結婚式の日付や、式当日の心境等を内容とする新郎新婦のコメントや、イラスト等が記載されている。
【００１６】
この枕１によれば、結婚式で用いられたブーケを乾燥させて枕芯材２として構成し、また枕芯材と共にメッセージカードを封入したので、ブーケやメッセージカードと共に結婚式の大切な思い出を華やかなまま長期間に亘って身近に残すことができる。またブーケに薬効成分を発散する花卉２ａが含まれるように構成した場合には、その薬効成分の鎮静作用によって寝付きを良くして、安定した睡眠を得ることが可能となる。さらに、人生において最も重要な儀式の一つである結婚式の象徴ともいうべきブーケを枕芯材２に用いたので、結婚式当日はもちろん、披露宴等の関連催事を行った日々の安らかな思い出に、枕１を使用する毎に長期間に亘って浸ることができる。従って、花卉２ａ自体の薬効有効期間が経過した後や、元々ブーケに薬効成分を発散する花卉２ａが含まれない場合であっても、花卉２ａの薬効成分と同様の鎮静作用を得ることが可能となる。
【００１７】
次に図２〜図６によって、本発明に係る枕の発注システム１０ａの一実施形態を説明する。図２は本発注システム１０ａの実行処理を行うためのパーソナルコンピュータ端末１１（以下、「ＰＣ端末１１」とする）を示し、（ａ）は構成説明図、（ｂ）はブロック図である。また図３〜図５は、ＰＣ端末１１の表示装置１３における遷移画面を例示する説明図である。そして図６は、本発注システム１０ａの実行処理による枕の発注手順Ｓ１のフローチャートである。
【００１８】
図２（ａ）に示すように、ＰＣ端末１１は、ＰＣ本体１２と、その表示装置１３と、注文コード３０の入力用のキーボード１４及びマウス１５とから構成されている。ＰＣ本体１２は、予め枕１の枕芯材２及び枕袋体３に関連する情報を記憶する記憶手段１６と、記憶手段１６に記憶されたブーケ情報に含まれる複数の選択肢の内から一の選択肢を選択するブーケ情報選択手段１７と、記憶手段１６に記憶された枕袋体情報に含まれる複数の選択肢の内から一の選択肢を選択する枕袋体情報選択手段１８と、枕１の完成状態の予想画像を作成し表示手段１９を介して表示装置１３で表示させる予想画像作成手段２１とを備え、さらにこれらの手段を連携して機能させる制御手段２０を備えて構成されている。また表示手段１９は、注文コード３０の入力画面６０及び予想画像表示画面７０を表示装置１３に表示させるように構成されている。
【００１９】
図６に示すように、本発注手順Ｓ１において、先ず、枕１の発注者は、入力画面６０上に配置された入力欄６１に、注文コード３０を入力する（Ｓ１−１）。ここで注文コード３０とは、枕の発注に関する全情報をコード化したものである。この注文コード３０は、「一般情報」、「製造情報」の２つの大項目に分類して規定される。「一般情報」は、発注者に関連する情報である「発注者情報」、枕の納入に関連する情報である「納入情報」の２つの中項目に、また他方の「製造情報」は、ブーケに関連する情報である「ブーケ情報」、枕袋体に関連する「枕袋体情報」の２つの中項目に分類して規定される。
【００２０】
さらに「発注者情報」は、「発注者の氏名（または法人名）４１１」、「住所４１２」及び「連絡先４１３」の３つの小項目に分類規定される。「納入情報」は、「発注個数４２１」、「希望納期４２２」、「納入先４２３」及び「納入方法４２４」の４つの小項目に分類規定される。また「ブーケ情報」は、「花材の種類５１１」及び「ブーケのアレンジ５１２」の２つの小項目に分類規定される。「枕袋体情報」は、「生地５２１」、「サイズ５２２」、「形状５２３」、「模様５２４」及び「色５２５」の５つの小項目に分類規定される。
【００２１】
図３の注文コード３０の入力画面６０には、「発注者の氏名（または法人名）４１１」、「住所４１２」及び「連絡先４１３」の小項目、「発注個数４２１」、「希望納期４２２」、「納入先４２３」及び「納入方法４２４」の小項目、「花材の種類５１１」及び「ブーケのアレンジ５１２」の小項目、「生地５２１」、「サイズ５２２」、「形状５２３」、「模様５２４」及び「色５２５」の小項目の個々について対応する入力欄６１が設けられている。
【００２２】
夫々の入力欄６１は、小項目に関する情報を発注者が入力可能となるように構成されている。発注者は、これらの小項目に関する情報を入力する際、直接キーボード１４で入力するか、または、各入力欄６１の右端に設けられた「▽」ボタン６３をマウス１５で選択することにより、各小項目に対応するように更に細分化した選択肢の一覧表６２をポップアップ表示させ、その一覧表６２の内から一の選択肢をマウス１５で選択して入力を行う。
【００２３】
例えば、「ブーケ情報」を構成する「花材の種類５１１」には「白いバラ」、「赤いバラ」、「ゆり」、「かすみ草」、「ガーベラ」及び「カトレア」の選択肢が設定され、また、「ブーケのアレンジ５１２」には「ラウンドブーケ」、「オーバルブーケ」及び「キャスケードブーケ」の選択肢が設定され、夫々記憶手段１６に記憶されている。そして、ブーケ情報選択手段１７によって、マウス１５の選択によりＰＣ端末１１の入力画面６０で入力欄６１に入力されたブーケ情報に基づき、記憶手段１６に記憶されたブーケ情報として「花材の種類５１１」及び「ブーケのアレンジ５１２」に含まれるこれらの複数の選択肢の内から夫々一の選択肢が選択される（Ｓ１−２）。
【００２４】
また同様に、「枕袋体情報」を構成する「生地５２１」には「木綿」及び「絹」の選択肢が、「サイズ５２２」には「６０×４０」及び「５０×５０」の選択肢が、「形状５２３」には「正方形」、「長方形」、「円形」、「楕円形」、「星形」及び「円柱形」の選択肢が、「模様５２４」には「無地」、「縞」及び「水玉」の選択肢が、そして「色５２５」には「白」、「ベージュ」及び「ピンク」の選択肢が設定され夫々記憶手段１６に記憶されている。そして、枕袋体情報選択手段１８によって、マウス１５の選択によりＰＣ端末１１の入力画面６０で入力欄６１に入力された枕袋体情報に基づき、記憶手段１６に記憶された枕袋体情報として「生地５２１」、「サイズ５２２」、「形状５２３」、「模様５２４」及び「色５２５」に含まれるこれらの複数の選択肢の内から夫々一の選択肢が選択される（Ｓ１−３）。これらの選択肢の一覧表６２は、例えば図４の「形状５２３」のようにポップアップ表示される。
【００２５】
小項目毎に対応する入力欄６１について、所定の入力が完了した後、「確認」ボタン６５をマウス１５で選択することによって、入力された注文コード３０を記憶手段１６に入力して記憶させる（Ｓ１−４）。
そして、ブーケ情報選択手段１７は、例えば選択肢として「白いバラ」及び「ラウンドブーケ」を選択し、予想画像作成手段２１は、これらの選択肢に対応する枕芯材２の画像情報として、枕袋体３を取り除いた状態の枕芯材２の画像データを記憶手段１６から呼び出す。また枕袋体情報選択手段１８は、例えば選択肢として「木綿」、「６０×４０」、「長方形」、「無地」及び「白」を選択し、予想画像作成手段２１は、これらの選択肢に対応する枕袋体３の画像情報として、枕芯材２を取り除いた状態の枕袋体３の画像データを記憶手段１６から呼び出す。そして予想画像作成手段２１は、枕芯材２の画像データと枕袋体３の画像データとを合成させて枕１の完成状態の予想画像を作成し、図５に示すようにこの予想画像を予想画像表示画面７０の中に表示する（Ｓ１−５）。
発注者は、予想画像表示画面７０に表示された予想画像を見て、入力した注文コード３０通りの枕が表示されているか否か、加えて発注するべき望みの枕１であるか否かを確認する（Ｓ１−６）。
【００２６】
手順Ｓ１−６の後において、このまま発注する場合は、予想画像表示画面７０に設けられた「発注」ボタン７１を選択して、注文コード３０が正式に受理されたことを示す発注データを記憶手段１６に出力し注文コード３０に加え、枕１の製造が発注される（Ｓ１−７）。また注文コード３０を変更する場合には、予想画像表示画面７０に設けられた「戻る」ボタン７２を選択して、注文コード３０の入力画面６０に戻り、手順Ｓ１−１から繰り返す。枕１の発注を終了する場合には、注文コード３０の入力画面６０に戻り、「終了」ボタン６６を選択して終了する。
尚、手順Ｓ１−７以後に、枕１の発注を取り消す場合には、「解約」ボタン（図示略）の選択によって解約コードを記憶手段１６に出力し、注文コード３０に加えて解約処理が行われる。
【００２７】
このシステムによれば、ブーケ情報選択手段１７及び枕袋体情報選択手段１８を設けたので、発注者自ら複数の選択肢の内から好みの一の選択肢を選択して組み合わせることにより枕１を完成させることができる。よって、発注者に対して、選択の機会を与えると共にその選択の自由度を十分に拡大して、オーダーメイド感覚で独創的な枕１を製造でき、購買意欲及び顧客満足度を向上できる。また、枕袋体３に対応した予め設定した在庫だけを確保すれば良いので、受注者側の余剰在庫を減らすことが可能となる。
【００２８】
また、選択肢に対応する枕芯材及び枕袋体の画像データを、実物に近い色合いとなるようにデジタルカメラ等によって撮影し、記憶手段１６に画像データ形式で予め保存設定したので、実際の完成状態と予想画像の完成状態との間に生ずる色合いのズレを比較的少なくできる。
【００２９】
さらに、予想画像作成手段２１を設けたので、発注者が希望する枕１の完成予想状態を、予想画像によって事前に確認できる。従って、注文コード３０の入力ミス等による発注ミスを低減できる。そして発注者のイメージする枕の完成状態と、製造納入された枕の完成状態とのイメージギャップを小さくして、発注者の満足度をより向上できる。
【００３０】
図７は、本発明に係る枕の発注システムの別の実施形態を示す説明図である。
本発注システム１０ｂは、発注者側端末２２と、受注者側端末２３とを備え、両端末２２，２３同士は相互通信を可能とする公衆回線網、いわゆるインターネット２４に接続されて構成されている。このシステム１０ｂでは、注文コード３０は、発注者側端末２２と受注者側端末２３との間でインターネット２４を介して相互通信可能に構成されている。また受注者側端末２３には、発注システム１０ａと同様の記憶手段１６、ブーケ情報選択手段１７、枕袋体情報選択手段１８及び予想画像作成手段２１が設けられている。
本発注システム１０ｂによっても、前述の発注システム１０ａと同様の作用効果を得ることができる。
【００３１】
尚、本発明は上記実施形態に限定されるものではなく、以下に例示するように、本発明の趣旨を逸脱しない範囲で各部の形状並びに構成を適宜に変更して実施することも可能である。
（１）枕袋体には、友人、恩師、先輩または親類等から送られたメッセージカードを封入しても良い。またメッセージカードには、結婚式の記念写真等を載せても良い。
（２）乾燥させる花卉には、ラベンダーやジャスミン等の花弁から芳香成分を抽出してなる芳香剤を添加させても良い。枕芯材に眠気を誘う効果を備えた芳香剤を加えることで、より安定した睡眠状態が確保可能となる。
（３）枕袋体には、素地色の生地はもちろん、その他ベージュ色、赤色、青色、黄色等で着色したものを使用しても良い。
（４）枕袋体の形状には、上記実施形態に記載したものに限らず、３角形等の他の形状のものを用いても良い。
【図面の簡単な説明】
【００３２】
【図１】本発明に係る枕の一実施形態を示す（ａ）は説明図、（ｂ）はＡ−Ａ線断面図である。
【図２】本発明に係る枕の発注システムの一実施形態を示し、（ａ）は構成説明図、（ｂ）はブロック図である。
【図３】注文コードの入力画面の説明図である。
【図４】選択肢の一覧表画面の説明図である。
【図５】予想画像表示画面の説明図である。
【図６】本発注システムによる枕の発注手順を示すフローチャートである。
【図７】本発明に係る枕の発注システムの別の実施形態を示す構成説明図である。
【符号の説明】
【００３３】
１・・枕、２・・枕芯材、２ａ・・乾燥させた花卉、２ｂ・・中わた、３・・枕袋体、１０ａ，１０ｂ・・枕の発注システム、１１・・ＰＣ端末、１２・・ＰＣ本体、１３・・表示装置、１４・・キーボード、１５・・マウス、１６・・記憶手段、１７・・ブーケ情報選択手段、１８・・枕袋体情報選択手段、１９・・表示手段、２０・・制御手段、２１・・予想画像作成手段、２２・・発注者側端末、２３・・受注者側端末、２４・・インターネット、３０・・注文コード、６０・・入力画面、６１・・入力欄、６２・・選択肢の一覧表、６３・・▽ボタン、６５・・確認ボタン、６６・・終了ボタン、７０・・予想画像表示画面、７１・・発注ボタン、７２・・戻るボタン、４１１・・発注者の氏名（または法人名）、４１２・・住所、４１３・・連絡先、４２１・・発注個数、４２２・・希望納期、４２３・・納入先、４２４・・納入方法、５１１・・花材の種類、５１２・・ブーケのアレンジ、５２１・・生地、５２２・・サイズ、５２３・・形状、５２４・・模様、５２５・・色、Ｓ１・・枕の発注手順。
【図１】
2005204942.tif 000003
【図２】
2005204942.tif 000004
【図３】
2005204942.tif 000005
【図４】
2005204942.tif 000006
【図５】
2005204942.tif 000007
【図６】
2005204942.tif 000008
【図７】
2005204942.tif 000009